(57)【要約】  本発明は、電力供給設備（１００）の充電可能な電気エネルギー貯蔵モジュールを管理する方法（３００）であって、前記モジュールが、並列に配置されており、  前記方法（３００）が、−  前記モジュールを少なくとも２つのグループに分けること（３０２）；及び−  前記グループ（１０２，１０４）の１つを使用して一度に供給すること（３０４）；を含み、前記方法（３００）が、アクティブグループと呼ばれるグループの故障モジュールを、利用可能なグループと呼ばれる別のグループの利用可能なモジュールによって供給すると伴に、置き換えるステップ（３１４）を更に含む、前記方法に関する。また、本発明は、このような方法を実施するシステム、及び、このような方法又はシステムを実施する電力供給設備に関する。
2019518410.tif 000002
【特許請求の範囲】
【請求項１】
電気供給設備（１００）の複数の充電可能な電気エネルギー貯蔵モジュール（１０６１〜１０６８）を管理する方法（３００；４００）であって、
前記モジュール（１０６）の各々が、少なくとも１つの充電可能な電気化学バッテリーを含み、そして、相互に並列に配置されており、
前記方法（３００；４００）が、
−  前記モジュール（１０６）を少なくとも２つのグループ（１０２，１０４）に分けること（３０２）；及び
−  前記グループ（１０２，１０４）のうちの１つから一度に供給すること（３０４）；
を含み、
前記方法（３００；４００）が、アクティブグループと呼ばれる、グループ（１０４）における故障モジュール（１０６６，１０６７）を、利用可能なグループと呼ばれる別のグループ（１０２）における利用可能なモジュール（１０６３，１０６４）によって、供給プロセス中において置き換えるステップ（３１４）を更に含む、前記方法。
【請求項２】
前記の置き換えるステップ（３１４）が、前記グループのうちの１つが故障モジュールを含む場合において、すぐに行われることを特徴とする、請求項１に記載の方法（４００）。
【請求項３】
前記の置き換えるステップ（３１４）が、各グループ（１０２，１０４）が故障モジュールを含む場合においてのみ行われることを特徴とする、請求項１に記載の方法（３００）。
【請求項４】
前記の置き換えるステップ（３１４）が、前記アクティブグループ（１０２，１０４）において一定数のモジュール（１０６）を維持するために行われることを特徴とする、請求項１〜３のいずれか一項に記載の方法（３００；４００）。
【請求項５】
前記アクティブグループの残量充電レベルが、少なくとも１つの利用可能なグループについての所定値の残量充電レベル以下である場合において、或るグループ（１０２，１０４）から別のグループ（１０２，１０４）への供給の切り替え（３０４２）が行われることを含むことを特徴とする、請求項１〜４のいずれか一項に記載の方法（３００；４００）。
【請求項６】
前記所定値が、前記グループ（１０２，１０４）の少なくとも１つについての最大充電容量のパーセンテージ又は残量充電レベルに相当することを特徴とする、請求項５に記載の方法（３００；４００）。
【請求項７】
前記所定値が、各グループ（１０２，１０４）についての利用可能な合計充電レベルに応じて、変動可能であることを特徴とする、請求項５又は６に記載の方法（３００；４００）。
【請求項８】
各グループ（１０２，１０４）が、同じ数のモジュールを含むことを特徴とする、請求項１〜７のいずれか一項に記載の方法（３００；４００）。
【請求項９】
−  前記モジュールの残量充電レベル；
−  前記モジュールの温度；及び／又は
−  前記モジュールの端子における電圧；
に応じて、貯蔵モジュールの故障を検出すること（３０６，３１２）を含むことを特徴とする、請求項１〜８のいずれか一項に記載の方法（３００；４００）。
【請求項１０】
各モジュールについて、下記のパラメータ：
−  前記モジュールの残量充電レベル；
−  前記モジュールの温度；及び／又は
−  その端子での電圧；
の少なくとも１つを測定することを含むことを特徴とする、請求項１〜９のいずれか一項に記載の方法（３００；４００）。
【請求項１１】
電気供給設備における複数の充電可能な電気エネルギー貯蔵モジュール（１０６１〜１０６８）を管理するシステムであって、
前記モジュール（１０６１〜１０６８）の各々が、少なくとも１つの充電可能な電気化学バッテリーを含み、そして、相互に並列に配置されており、
前記システムが、
−  各モジュール（１０６１〜１０６８）について、前記モジュールを、その他のモジュールとは独立して放電させることを可能にする、個々の接続／切断のための手段（２０６１〜２０６８）；及び
−  前記接続／切断手段（２０６１〜２０６８）の各々を直接的又は間接的に制御するための少なくとも１つの制御装置（２０２１〜２０２２，２０４）；
を含み、
前記少なくとも１つの制御装置（２０２１〜２０２２，２０４）が、請求項１〜１０のいずれか一項に記載の方法（３００；４００）のすべてのステップを実施するために構成されている、前記システム。
【請求項１２】
複数の充電可能な電気エネルギー貯蔵モジュール（１０６）を含む電気供給設備（１００）であって、
前記モジュール（１０６）の各々が、少なくとも１つの充電可能な電気化学バッテリーを含み、そして、相互に並列に配置されており、
前記モジュール（１０６）が、
−  請求項１〜１０のいずれか一項に記載の方法（３００；４００）に従って；又は
−  請求項１１に記載のシステムによって；
管理されている、前記電気供給設備。
【請求項１３】
再生可能資源、例えば、少なくとも１つのソーラーパネル（１０８１）及び／又は少なくとも１つの風力タービン（１０８２）からの電気エネルギーを生成するための手段（１０８１，１０８２）を含むことを特徴とする、請求項１２に記載の設備（１００）。
【請求項１４】
−  電気自動車用の電気充電ステーション；又は
−  建物、複合施設、又は電気／電子通信デバイスのための電気供給設備；
を含むことを特徴とする、請求項１２又は１３に記載の設備（１００）。
【発明の詳細な説明】
【技術分野】
【０００１】
本発明は、バッテリー故障時における電気供給設備の電気化学バッテリーを管理する方法に関する。また、本発明は、そのような方法を実施するシステム、及びそのような方法又はそのようなシステムを実施する電気供給設備に関する。
【０００２】
本発明の分野は、電気供給信号を提供するために、並列に載置された、いくつかの電気化学バッテリー、特に、ＬＭＰ（登録商標）（「リチウム金属ポリマー」：Ｌｉｔｈｉｕｍ  Ｍｅｔａｌ  Ｐｏｌｙｍｅｒ）タイプを含む、電気供給設備の分野である。
【背景技術】
【０００３】
並列に載置されているいくつかの電気貯蔵モジュールを含み、その各々が、１つ以上の電気化学バッテリー、特にＬＭＰ（登録商標）タイプを含んでいる固定式電気供給設備が知られている。例えば電気自動車を充電したり又は建物に供給したりするために、各モジュールによって、電気エネルギーを貯蔵してそれから高電圧信号を伝達することが可能となる。
【０００４】
或る固定式電気供給設備は、独立しており、前記モジュールを充電する目的で、電気エネルギー貯蔵モジュールをエネルギー生産手段（例えば、ソーラーパネル又は風力タービンなど）と結合する。
【０００５】
供給の観点で十分な独立性を確保するためには、各設備にいくつかのバッテリーを装備することが必要であり、これによって、所望の独立性に必要な電気エネルギーを貯蔵し、供給されるべき実体物（例えば、充電すべき電気自動車、又は供給すべき複合施設又は建物）にそれを引き続いて供給することが可能となる。供給に必要な電力と各バッテリーから利用可能な電力に応じて、供給するためにいくつかのバッテリーを並列に使用することが必要である。
【０００６】
同時に、電気化学バッテリーは、放電をゆっくり行うのには向いていないことが知られている。
【０００７】
しかしながら、現時点では、固定式電気供給設備の充電可能な電気エネルギー貯蔵モジュールを管理するための方法は存在していない。なお、この方法において、これらのモジュールは、設備の機能を保持しながら、前記モジュールの寿命を最適化することが可能なように並列に配置されている。
【０００８】
本発明の目的は、この欠点を克服することである。
【０００９】
本発明の別の目的は、少なくとも１つのモジュールが故障した場合において、並列に載置された、電気供給設備の電気エネルギー貯蔵モジュールを良好に管理することを可能にする方法及びシステムを提案することにある。
【００１０】
また、前記モジュールのうちの少なくとも１つが故障した場合において、前記設備の正常な動作を依然として維持しながら、前記モジュールの寿命を最適化することが可能にするような、並列に載置された、電気供給設備の電気エネルギー貯蔵モジュールを管理する方法及びシステムを提案することも本発明の目的とする。
【発明の開示】
【００１１】
本発明は、電気供給設備（特に、固定式電気供給設備）の複数の充電可能な電気エネルギー貯蔵モジュールを管理する方法によって、これらの目的の少なくとも１つを達成することを可能にし、
前記モジュールの各々が、少なくとも１つの充電可能な電気化学バッテリー（特に、ＬＭＰ（登録商標）タイプ）を含み、そして、相互に平行に配置され、
前記方法が、
−  前記モジュールを少なくとも２つのグループに分けるステップ；及び
−  前記グループの１つから一度に（特に順番に、更に特には交互に）供給するステップ；
を含み、
前記方法が、アクティブグループと呼ばれるグループの故障モジュールを、供給プロセス中において、利用可能なグループと呼ばれる別のグループの利用可能なモジュールによって、置き換えるステップを更に含む。
【００１２】
したがって、本発明による方法は、事実上、供給を行うために（特に、電気自動車の充電のために、建物に供給のために、複合施設に供給のために、電気／電子デバイス（特に、Ｗｉｆｉホットスポット又はアンテナ等の通信デバイス）に供給のために）交互に使用するいくつかの（特に、２つの）グループに、充電可能な電気エネルギー貯蔵モジュールを分けることを提案する。したがって、各グループに迅速な放電サイクルを付与し、すなわち各モジュールの寿命を最適化することが可能である。
【００１３】
同時に、１以上のモジュールが故障した場合において、本発明による方法は、少なくとも１つのグループの「仮想」管理を提案する。特に、第１グループの一部を最初に形成するモジュールが故障している場合には、本方法は、特に即座に、それを、別のグループの一部を最初に形成するモジュールに交換することを提案する。したがって、電気エネルギー貯蔵モジュールを劣化させることなく、１以上のモジュールの故障の場合でも、要求された電力を引き続き供給し、したがって設備を正常に作動させることが可能である。
【００１４】
本願において、「分ける」とは、モジュールの物理的配置とは無関係に、モジュールの仮想的なグループ分けを意味する。
【００１５】
本願では、前記モジュールが、
−  作動不良、特に異常な温度又はその端子での異常電圧；又は
−  ゼロ又は非常に残量充電レベル（ＲＣＬ）；
が存在する場合において、貯蔵モジュールが故障していると考えられる。
残量充電レベルは、貯蔵モジュールに残っている充電のパーセンテージ又は量を示すゲージレベルと同じにすることができる。
【００１６】
本発明による方法の１つのバージョンによれば、置き換えるステップは、グループのうちの１つが故障モジュールを含むと直ぐに行うことができる。
【００１７】
換言すれば、この第１バージョンでは、第１モジュールがグループのいずれか１つで故障している場合には、モジュールが他のグループで故障していなくても、置き換えるステップが行われる。グループの故障モジュールは、次に、別のグループの使用可能なモジュールに置き換えられる。
【００１８】
アクティブグループの故障しているモジュールを置き換えるモジュールは、他のグループの各々から順番に選択することができる。
【００１９】
更に、利用可能なグループそれ自体の中で、アクティブグループの故障モジュールを置き換えるために使用されるモジュールは、前記利用可能なグループのモジュールから順番に選択することができる。
【００２０】
本発明による方法の別の好ましいバージョンによれば、置き換えるステップは、各グループが故障しているモジュールを含む場合、すなわち、任意のグループ（そのグループのモジュールの全てが作動可能である）がもはや存在しない場合にのみ、行うことができる。
【００２１】
この場合、第１アクティブグループに故障モジュールが含まれている場合には、故障モジュールを含まない別のグループに供給を切り替えることができ、次にこの他のグループがアクティブグループなどになる。
【００２２】
故障モジュールを含むグループは、供給のためにもはや使用され得ないが、他のグループ（このグループの全てのモジュールは作動可能である、すなわち、故障していない）が存在する。グループ（このモジュールは故障していない）を使用することなく、グループ（このグループのすべてのモジュールは作動可能である）のみを、特に順番に、供給することができる。
【００２３】
場合により、グループ（このグループの全てのモジュールは作動可能である）が完全に放電される場合には、グループ（このグループのモジュールは故障している）を、低下作動モードで、低下した供給を行うために使用することができる。
【００２４】
本発明による方法の好ましいバージョンでは、置き換えるステップは、アクティブグループ中のモジュールの合計数が、一定に保たれ、所定の数と等しくなるように行うことができる。
【００２５】
言い換えれば、置き換えるステップは、供給中に供給される電力が、一定に保たれ、所定の値と等しくなるように行うことができる。
【００２６】
このように、本発明による方法は、アクティブグループによって供給される（正常な作動モードを維持することを可能にする）電力を、低下することなく、維持することを可能にする。
【００２７】
非限定的な実施形態によれば、本発明による方法は、或るグループから別のグループへの供給の切り替えを含むことができ、前記グループの残量充電レベルに応じて行われる。
【００２８】
より詳細には、或るグループから別のグループへの切り替えは、アクティブグループの残量充電レベルが、少なくとも１つの利用可能なグループについての特に所定値の残量充電レベル以下である場合において、行うことができる。
【００２９】
有利には、所定値は、少なくとも１つのグループについての最大充電容量（ＭＣＣ）又は残量充電レベル（ＲＣＬ）のパーセンテージに相当することができる。
【００３０】
第１実施形態によれば、所定値は一定とすることができる。
【００３１】
例えば、所定値は、グループのＭＣＣの５％と等しくすることができる。
【００３２】
別の例示的な実施形態によれば、所定値は、変化可能であることができる。
【００３３】
より具体的には、所定値は、各グループの利用可能な合計充電レベルに応じることができる。
【００３４】
特に、各グループの合計充電レベルが減少する場合に、所定値は減少させることができる。
【００３５】
非限定的な実施形態によれば、所定値は、以下の値に等しい：
−  すべてのグループが７０％を超えるＲＣＬを有する場合には、グループのＭＣＣの１０％；
−  最低の充電量であるグループがＭＣＣの５０％〜７０％のＲＣＬを有する場合には、グループのＭＣＣの８％；
−  最低の充電量であるグループがＭＣＣの３０％〜５０％のＲＣＬを有する場合には、ＭＣＣの５％；そして
−  最低の充電量であるグループがＭＣＣの３０％未満のＲＣＬを有する場合には、ＭＣＣの３％。
【００３６】
好ましいバージョンでは、各グループは同じ数のモジュールを含むことができる。
【００３７】
モジュールの数は、供給ステップ中において必要とされる合計電力と、各モジュールによって供給可能な電力に応じて、決定することができる。
【００３８】
好ましいバージョンでは、すべてのモジュールは同一とすることができ、各々は全く同一の公称電力を供給する。
【００３９】
本発明による方法は、
−  前記モジュールの温度；及び／又は
−  前記モジュールの端子における電圧；
に応じて、貯蔵モジュールの故障（特に、作動不良）の検出を含むこともできる。
【００４０】
特に、モジュールが、
−  ０又は所定値（例えば、前記モジュールのＭＣＣの０．１％）以下である残量充電レベル；
−  所定の温度範囲内（例えば、５０℃〜１２０℃など）に含まれない温度；及び／又は
−  所定の電圧範囲内（例えば、１９０Ｖ〜４７０Ｖなど）に含まれない、前記モジュールの端子における電圧；
を有する場合には、モジュールが故障している可能性がある。
【００４１】
また、本発明による方法は、各モジュールについて、以下のパラメータの少なくとも１つ（特に、各々）を測定することを含むこともできる：
−  例えばバッテリー残量ゲージによる、前記モジュールの残量充電レベル（ＲＣＬ）；
−  例えば温度計又は熱電対による、前記モジュールの温度；及び／又は
−  例えば電圧計による、前記モジュールの端子における電圧。
【００４２】
これらのパラメータの少なくとも１つを、モジュールが故障しているかどうかを決定するために使用することができる。
【００４３】
これに代えて、又はこれに加えて、これらのパラメータのうちの少なくとも１つ（例えば、残量充電レベル（ＲＣＬ））を、別のグループへの切り替えを行なければならないかどうかを決定するために使用することができる。
【００４４】
本発明の別の観点によれば、電気供給設備（特に、固定式電気供給設備）の複数の充電可能な電気エネルギー貯蔵モジュールを管理するためのシステムが提案され、
前記モジュールの各々が、少なくとも１つの充電可能な電気化学バッテリー（特に、ＬＭＰ（登録商標）タイプ）を含み、そして、相互に平行に配置され、
前記システムが、
−  各モジュールについて、前記モジュールを他のモジュールとは独立して放電させることを可能にする、個々の接続／切断手段；及び
−  前記接続／切断手段の各々を直接的又は間接的に制御するための少なくとも１つの制御装置；
を含み、
前記少なくとも１つの制御装置が、本発明による方法のすべてのステップを実施するように構成されている。
【００４５】
本発明のさらに別の観点によれば、電気供給設備（特に、固定式電気供給設備）を提案され、
この電気供給設備が、複数の充電可能な電気エネルギー貯蔵モジュールを含み、
前記モジュールの各々が、少なくとも１つの充電可能な電気化学バッテリー（特に、ＬＭＰ（登録商標）タイプ）を含み、そして、相互に並列に配置され、
前記モジュールが、
−  本発明による方法に従って；又は
−  本発明によるシステムによって；
管理されている。
【００４６】
有利には、本発明による設備は、再生可能資源（例えば、少なくとも１つのソーラーパネル及び／又は少なくとも１つの風力タービン）からの電気エネルギーを生産する手段を含むことができる。
【００４７】
そのような手段によって生成されたエネルギーは、少なくとも１つの充電可能な電気エネルギーモジュールを充電するために使用することができる。
【００４８】
これに代えて、又はこれに加えて、少なくとも１つの充電可能な電気エネルギーモジュールを送電網から充電することができる。
【００４９】
本発明による電気供給設備は、電気自動車用の電気充電ステーションとすることができる。
【００５０】
あるいは、本発明による電気供給設備は、建物（例えば、映画館、スポーツグラウンドなどの複合施設）、又は電気／電子通信デバイス（例えば、ＷｉＦｉホットスポット又はアンテナ）などの電気供給設備とすることができる。
【図面の簡単な説明】
【００５１】
他の利点及び特徴は、決して限定的ではない実施形態の詳細な説明、及び添付の図面を検討することによって明らかになるであろう。
−  図１は、本発明による電気供給設備の非限定的な実施例についての概略図である。
−  図２ａ及び図２ｂは、本発明による電気供給設備（特に、図１の設備）の電気エネルギー貯蔵モジュールを並列に接続した２つの非限定的な実施例についての概略図である。
−  図３は、本発明による方法の非限定的な実施形態についてのフローチャートの形態である概略図である。
−  図４は、本発明による方法の第２非限定的な実施形態についてのフローチャートの形態である概略図である。
−  図５ａ〜図５ｆは、図１の設備の場合における、図３の方法を応用した実施例についての原理の概略図である。
【発明を実施するための形態】
【００５２】
以下に説明される実施形態は決して限定的ではないことは十分に理解される。以下に記載されている特徴の選択のみ（この特徴は、他に記載された特徴から分離されている）を含む本発明の変形例を特に考慮することができる（但し、この特徴の選択は、技術的利点を与えるのに十分であるか、又は従来技術に対して本発明を区別するのに十分である場合に限る）。この選択は、（好ましくは、構造的な詳細がない機能的部分を有するか、又は構造的な詳細な部分のみを有する）少なくとも１つの特徴を含む（但し、この部分のみで、技術的な利点を与えるのに十分であるか、又は先行技術に対して本発明を区別する場合に限る）。
【００５３】
図面において、いくつかの図面に共通の構成要素は、同じ参照を有する。
【００５４】
図１は、本発明による電気供給設備の非限定的な実施例についての概略図である。
【００５５】
図１に示される電気供給設備１００は、電気バス又は電気自動車などの電気自動車のための電気充電ステーション、建物、複合施設、ＷｉＦｉホットスポット又はアンテナなどの通信デバイスの供給設備などとすることができる。
【００５６】
設備１００は、第１グループ１０２及び第２グループ１０４を含む。各々は、４個の充電可能な電気エネルギー貯蔵モジュール（すなわち、グループ１０２用のモジュール１０６１〜１０６４、及びグループ１０４用のモジュール１０６５〜１０６８）を含む。
【００５７】
充電可能な電気エネルギー貯蔵モジュール１０６の各々は、ＬＭＰ（登録商標）（「リチウム金属ポリマー」）タイプの１つ以上のバッテリーを含む。モジュール１０６は、全て同一であり、同じ公称電力を供給する。
【００５８】
再生可能資源（例えば、ソーラーパネル１０８１又は風力タービン１０８２）から電気エネルギーを生成するための１以上の手段１０８を、モジュール１０６を充電するために使用することができる。製造手段１０８は、設備１００の一部を形成してもしなくてもよい。
【００５９】
これに代えて、又はこれに加えて、各々モジュール１０６は、参照番号１１０の線で示される電気エネルギー分配網から充電することができる。
【００６０】
設備１００によって、参照番号１１２で示される電力網を介して、充電端末、複合施設、より一般的には実体物（ｅｎｔｉｔｙ）に供給することができる。１つ以上のグループ制御装置によって、設備１００の作動を制御することができる。
【００６１】
図２ａは、本発明による電気供給設備（特に、図１の設備１００）の電気エネルギー貯蔵モジュールを並列に接続した非限定的な実施例についての概略図である。
【００６２】
図２ａに示す実施例では、グループ１０２のモジュール１０６１〜１０６４は、グループ制御プログラムとも呼ばれる管理モジュール２０２１に接続され、そして、グループ１０４のモジュール１０６５〜１０６８は、グループ制御装置とも呼ばれる管理モジュール２０２２に接続されている。
【００６３】
グループ制御装置２０２１及び２０２２は、別々に中央制御装置２０４に接続され、中央制御装置２０４それ自体は、供給すべき（「Ｅ」で示される）実体物２０８に直接的又は間接的に接続される。このような実体物は、電気自動車、又は建物などとすることができる。
【００６４】
特に、グループ１０２の各モジュール１０６１〜１０６４は、各接触器２０６１〜２０６４を介して、グループ制御装置２０２１に接続され、この接触器は、グループ制御装置２０２１によって又は中央制御装置２０４によって制御することができる。同様に、グループ１０４の各モジュール１０６５〜１０６８は、各接触器２０６５〜２０６８を介して、グループ制御装置２０２２に接続され、この接触器は、グループ制御装置２０２２によって又は中央制御装置２０４によって制御することができる。
【００６５】
各接触器２０６ｉは、モジュール１０６ｉによって供給される電流を通過させるようにする閉鎖状態、又はモジュール１０６ｉによって供給される電流を通過しないようにする開放状態のいずれかに配置するために、中央制御装置２０４によって個別に、又はグループ制御装置２０２１〜２０２２で直接に若しくは介して制御することができる。
【００６６】
中央制御装置２０４は、以下を含む：
−  各モジュール１０６の残量充電レベル（ＲＣＬ：ｒｅｍａｉｎｉｎｇ  ｃｈａｒｇｅ  ｌｅｖｅｌ）を個別に測定する手段（図示せず）；
−  各モジュール１０６の温度を個別に測定するための手段（図示せず）；及び／又は
−  各モジュール１０６の端子における電圧を個別に測定する手段（図示せず）。
【００６７】
さらに、中央制御装置２０４は、前記モジュールが故障しているか作動中であるかを決定するために、各モジュールについて測定された値のそれぞれを１つ以上の所定の値と比較するように構成される。
【００６８】
もちろん、これらのパラメータの測定及び比較は、中央制御装置２０４以外のユニットによって（例えば、各グループ制御装置２０２１〜２０２２などによって）、代わりに実行することができる。
【００６９】
図２ｂは、本発明による電気供給設備（特に、図１の設備１００）の電気エネルギー貯蔵モジュールを並列に接続した別の非限定的な実施例についての概略図である。
【００７０】
図２ｂに示す実施例では、グループ制御装置２０２１及び２０２２を除いて、図２ａの実施例の全ての構成要素を含む。
【００７１】
図２ｂに示す実施例では、グループ制御装置２０２１及び２０２２を使用することなく、モジュール１０６１〜１０６８は、接触器２０６１〜２０６８によって、中央制御装置２０４に直接接続される。更に、モジュール１０６ｉの全ては、相互に並列配置されている。
【００７２】
図３は、本発明による管理方法の第１非限定的な実施例のフローチャートである。
【００７３】
図３に示す方法３００では、いくつかのグループ、例えば、正確には２つのグループ（例えば、グループ１０２及び１０４）にモジュールを分けるステップ３０２を含む。
【００７４】
この分けるステップ３０２中において、例えば図２ａに示すようなグループを構成するために、モジュールの物理的配置を考慮に入れることができる。あるいは、例えば図２ｂに示すようなモジュールの物理的配置を考慮しないことも可能である。
【００７５】
ステップ３０４中において、方法３００は、次々に、各グループから交互に供給を行う。この目的のために、ステップ３０４１は、グループの１つから供給を行う。供給工程のグループは、アクティブグループと呼ばれ、他のグループは、利用可能なグループと呼ばれる。アクティブグループの残量充電レベル（ＲＣＬ）は、供給ステップ３０４１中において監視される。次に、所定のルールに応じて、ステップ３０４２では、別の利用可能なグループへの供給の切り替えなどが行われる。
【００７６】
ステップ３０４２中における或るグループから別のグループへの切り替えは、各グループの残量充電レベル（ＲＣＬ）及びグループの最大充電容量（ＭＣＣ）に応じて、行うことができる。
【００７７】
特に、アクティブグループから利用可能なグループへの切り替えは、アクティブグループのＲＣＬが、所定値による受利用可能なグループのＲＣＬ以下になると行われ、この所定値は、以下の値に等しい：  
−  すべてのグループがＭＣＣの７０％を超えるＲＣＬを有する場合には、グループのＭＣＣの１０％；
−  最低の充電量であるグループがＭＣＣの５０％〜７０％のＲＣＬを有する場合には、グループのＭＣＣの８％；
−  最低の充電量であるグループがＭＣＣの３０％〜５０％のＲＣＬを有する場合には、ＭＣＣの５％；そして
−  最低の充電量であるグループがＭＣＣの３０％未満のＲＣＬを有する場合には、ＭＣＣの３％。
【００７８】
このような切り替えによって、一組のモジュールの放電を最適化することができ、そしてモジュール毎に残量充電レベルを略等しくすることができる。
【００７９】
ステップ３０６中に、以下の理由の少なくとも１つの理由によって、アクティブグループの充電モジュールにおいて故障が検出される：
−  モジュールが、不十分なＲＣＬを有する、
−  モジュールが、その端子において異常な電圧を有する、及び／又は
−  モジュールの温度が異常である。
【００８０】
故障モジュールの検出に続いて、ステップ３０８では、新たなアクティブグループとなる利用可能なグループへの供給の切り替えを行う。
【００８１】
ステップ３０８の後に、新しいアクティブグループに加えて、少なくとも１つの他の利用可能なグループ（そのグループのすべてのモジュールが作動可能である）が依然として存在する場合には、続いて、ステップ３０４において、方法３００は、故障グループを考慮せずに、代わりの供給を再開する。
【００８２】
ステップ３０８の後に、新しいアクティブグループに加えて、他の利用可能なグループ（そのグループのすべてのモジュールが作動可能である）が存在しない場合には、続いて、その方法は、前記アクティブグループのみからの供給を行うステップ３１０を続ける。供給の更なる切り替えはない。
【００８３】
ステップ３１０の後に、以下の理由の少なくとも１つの理由によって、ステップ３１２中に、アクティブグループのモジュールにおいて故障が検出される：
−  モジュールが、不十分なＲＣＬを有する、
−  モジュールが、その端子に異常電圧がある、及び／又は
−  モジュールの温度が異常である。
【００８４】
アクティブグループ内の故障モジュールの検出に続いて、他のどのグループ（そのグループの全てのモジュールは故障していない）は、もはや存在していないので、方法３００は、アクティブグループ内の故障モジュールを、故障していないモジュールによって、別のグループから切り替える。アクティブグループは、その後、別のグループのモジュールで実質的に再構成される。
【００８５】
次いで、方法３００は、再構成されたアクティブグループで、ステップ３１０において再開する。
【００８６】
図３の方法３００では、グループの故障モジュールの交換は、故障モジュールを各グループが含む場合にのみ行われる。もちろん、本発明は、その方法のこのバージョンに限定されない。
【００８７】
図４は、本発明による管理方法の第２非限定的な例の概略図である。
【００８８】
図４に示す方法４００は、図３の方法３００のステップ３０２〜３０６を含む。
【００８９】
しかしながら、図４の方法４００において、アクティブモジュール内の故障モジュールを検出するステップ３０６の後に、アクティブグループ内の故障モジュールを交換するステップ３１４が行われる。これは、たとえ、少なくとも１つの他のグループ（このモジュールのすべては作動可能である）が残っていても行われる。
【００９０】
換言すれば、図４の方法４００では、第１故障モジュールが検出されるとすぐに、アクティブグループの故障モジュールの交換が行われる。
【００９１】
方法４００では、置換ステップ３１４中に、アクティブグループの故障モジュールを置換するために使用される作動モジュールを、次々に、他の利用可能なグループから交互に選択することができる。
【００９２】
これに代えて、又はこれに加えて、方法４００において、置換ステップ３１４中に、アクティブグループの故障モジュールを交換するための作動モジュールを、次々に、別のグループの作動モジュールから交互に選択することができる。
【００９３】
図５ａ〜図５ｆは、図１の設備の場合における、図３の方法３００を応用した実施例についての原理の概略図である。
【００９４】
図５ａ〜図５ｃは、グループ１０２及び１０４からの実体物「Ｅ」への交互の供給を示している。
したがって：
−  図５ａ：グループ１０２は実体物「Ｅ」に供給するために使用されるアクティブグループであり、グループ１０４は利用可能なグループである；
−  図５ｂ：実体物「Ｅ」への供給は、グループ１０４に切り替えられ、グループ１０４はアクティブグループになり、そして、グループ１０２は利用可能なグループになる；そして、
−  図５ｃ：実体物「Ｅ」への供給は、再び、グループ１０２に切り替えられ、グループ１０２は再びアクティブグループになり、そして、グループ１０４は利用可能なグループになる；
−  等々。
【００９５】
図５ｄは、グループ１０２のモジュール１０６１が故障している場合を示している。供給は、故障モジュール１０６１を交換することなく、グループ１０４に切り替えられる。完全に作動している他のグループが存在しないので、供給は、続いて、グループ１０４によって連続的に提供される。
【００９６】
図５ｅは、モジュール、すなわちグループ１０４のモジュール１０６６が故障している場合を示している。完全に作動可能な他のグループが存在しないので、故障モジュール１０６６は、グループ１０２の作動モジュール１０６２〜１０６４のいずれか１つ、すなわち、図５ｅのモジュール１０６４に置き換えられる。次に、グループ１０４は、仮想的に再構成され、モジュール１０６４，１０６５，１０６７，１０６８を含む。
【００９７】
図５ｆは、別のモジュール、すなわち（実質的に再構成された）グループ１０４のモジュール１０６７が故障している場合を示す。完全に動作可能な他のグループが存在しないので、故障モジュール１０６７は、グループ１０２の作動モジュール１０６２又は１０６３のうちのいずれか１つ、すなわち、図５ｆのモジュール１０６３によって置き換えられる。次に、グループ１０４は、次に、再構成され、モジュール１０６３，１０６４，１０６５、及び１０６８を含む。
【００９８】
もちろん、本発明は、上述した実施例に限定されるものではない。特に、貯蔵モジュールの数、モジュールのグループの数、及び各グループのモジュールの数は、上記の実施例に示したものに限定されず、そして、特に設備レベルでの所望の独立性及び電力に依存する、エネルギー貯蔵モジュールの最大値に相当する。
【００９９】
本発明は、そのような設備を必要とする任意の静止した用途を意図している。
【図１】
2019518410.tif 000003
【図２ａ】
2019518410.tif 000004
【図２ｂ】
2019518410.tif 000005
【図３】
2019518410.tif 000006
【図４】
2019518410.tif 000007
【図５ａ】
2019518410.tif 000008
【図５ｂ】
2019518410.tif 000009
【図５ｃ】
2019518410.tif 000010
【図５ｄ】
2019518410.tif 000011
【図５ｅ】
2019518410.tif 000012
【図５ｆ】
2019518410.tif 000013
【国際調査報告】
2019518410.tif 000014
2019518410.tif 000015
2019518410.tif 000016
2019518410.tif 000017
2019518410.tif 000018
2019518410.tif 000019